(57)【要約】【課題】油煙に含まれる油塵等で汚れた空気により、多孔質吸消音材の騒音低減効果が低下したり、油塵等で火災の助長の原因となる不安全もないレンジフード用消音装置を提供することをを目的とする。【解決手段】複数の孔５ａ、７ａを有する２枚の不燃性パネル５、７と多孔質吸音材８とを、それぞれの間に空気層６を形成して並設し、２枚の不燃性パネル５、７のそれぞれの孔５ａ、７ａは、レンジフード１の正面視方向に重ならない位置に形成された消音装置３の構成とすることにより、長期間、騒音低減効果を維持し、かつ安全なレンジフード用消音装置を提供できる。【選択図】図１
2007017118.tif 000002
【特許請求の範囲】
【請求項１】
油煙を含む空気を換気するレンジフードの通風路に、複数の孔を有する２枚の不燃性パネルと多孔質吸音材とを、それぞれの間に空気層を形成して並設し、前記２枚の不燃性パネルのそれぞれの孔は、前記レンジフードの正面視方向に重ならない位置に形成されたことを特徴とするレンジフード用消音装置。
【請求項２】
不燃性パネルを３枚以上並設し、隣り合う前記不燃性パネルに形成されたそれぞれの孔が
、レンジフードの正面視方向に重ならない位置に形成された請求項１記載のレンジフード用消音装置。
【請求項３】
不燃性パネルと多孔質吸音材とを空気層を介して一体に構成してユニット化した請求項１または２記載のレンジフード用消音装置。
【請求項４】
複数の不燃性パネルが重なり合うように移動自在とした請求項１〜３のいずれかに記載のレンジフード用消音装置。
【請求項５】
複数の不燃性パネル間に空気層が形成される方向に付勢したばねを前記不燃性パネル間に設けた請求項４記載のレンジフード用消音装置。
【請求項６】
不燃性パネルの表面に撥油処理を施した請求項１〜５のいずれかに記載のレンジフード用消音装置。
【請求項７】
不燃性パネルの表面に親水性処理を施した請求項１〜４のいずれかに記載のレンジフード用消音装置。
【請求項８】
複数の不燃性パネル間に空気層が形成される方向に付勢したばねを前記不燃性パネル間に設け、前記不燃性パネルの表面に親水性処理を施した請求項４記載のレンジフード用消音装置。
【請求項９】
不燃性パネルに超音波振動子を設けた請求項１〜４のいずれかに記載のレンジフード用消音装置。
【発明の詳細な説明】
【技術分野】
【０００１】
本発明はレンジフードから発生する騒音を低減させる消音装置に関する。
【背景技術】
【０００２】
従来、この種の消音装置は、レンジフードから発生する騒音を低減させるためにレンジフード内に遮音板や多孔質吸音材を取り付けるものが知られている（例えば、特許文献１参照）。
【０００３】
以下、そのレンジフード用消音装置について、図５を参照しながら説明する。
【０００４】
図５に示すように、レンジフードの流路内に多孔質吸音材１０１と孔の開いたパネル１０２を備えることにより、レンジフードで発生する騒音を消音している。この装置では、孔の開いたパネル１０２の奥にある多孔質吸音材１０１に音を通過させることで消音させている。
【特許文献１】特開平７−２３３９９０号公報（第６−７頁、第５図）
【発明の開示】
【発明が解決しようとする課題】
【０００５】
このような従来の消音装置では、レンジフードは油煙に含まれる油塵等で汚れた空気を通過させるため、使用とともに多孔質吸音材１０１の表面に油塵等が付着して孔を塞ぐようになり、消音効果の低下がおき、かつ、含んだ油によって火災を助長させる原因となる恐れがあった。
【０００６】
本発明は、このような従来の課題を解決するものであり、汚れが付着することによって生じる多孔質吸音材の吸音効果の低下を招くことなく、長期間騒音低減効果を維持するとともに、火災を助長させる恐れがないレンジフード用消音装置を提供することを目的としている。
【課題を解決するための手段】
【０００７】
本発明のレンジフード用消音装置は上記目的を達成するために、油煙を含む空気を換気するレンジフードの通風路に、複数の孔を有する２枚の不燃性パネルと多孔質吸音材とを、それぞれの間に空気層を形成して並設し、前記２枚の不燃性パネルのそれぞれの孔は、前記レンジフードの正面視方向に重ならない位置に形成されたものである。
【０００８】
また、他の手段は、不燃性パネルを３枚以上並設し、隣り合う前記不燃性パネルに形成されたそれぞれの孔が、レンジフードの正面視方向に重ならない位置に形成されたものである。
【０００９】
また、他の手段は、不燃性パネルと多孔質吸音材とを空気層を介して一体に構成してユニット化したものである。
【００１０】
また、他の手段は、複数の不燃性パネルが重なり合うように移動自在としたものである。
【００１１】
また、他の手段は、複数の不燃性パネル間に空気層が形成される方向に付勢したばねを前記不燃性パネル間に設けたものである。
【００１２】
また、他の手段は、不燃性パネルの表面に撥油処理を施したものである。
【００１３】
また、他の手段は、不燃性パネルの表面に親水性処理を施したものである。
【００１４】
また、他の手段は、複数の不燃性パネル間に空気層が形成される方向に付勢したばねを前記不燃性パネル間に設け、前記不燃性パネルの表面に親水性処理を施したものである。
【００１５】
また、他の手段は、不燃性パネルに超音波振動子を設けたものである。
【発明の効果】
【００１６】
本発明によれば、多孔質吸音材の孔が油塵等で塞がることによる吸音効果の低下を招くことなく、かつ、多孔質吸音材が油を含むことにより火災の助長の原因となる恐れがない消音装置を提供できる。
【００１７】
また、消音装置をユニット化することにより、メンテナンス等が容易になって、吸音効果の維持がしやすくなる。
【００１８】
また、不燃性パネルを重なり合うように移動自在とすることによって、奥側のパネルに付着した汚れが前側のパネルを外すことなく拭き取ることができ、清掃性が向上した消音装置を提供できる。
【００１９】
また、不燃性パネルの表面の撥油効果により、汚れの付着を軽減することによって掃除の頻度を減らすことができ、吸音効果の維持を容易とした消音装置を提供できる。
【００２０】
また、不燃性パネルの表面の親水性効果により、付着した汚れを水拭きで容易に掃除することができ、吸音効果の維持を容易とした消音装置を提供できる。
【００２１】
また、不燃性パネルを超音波振動子で振動させることにより、汚れ自体が付着しにくくなり、吸音効果が長期にわたって維持できる消音装置を提供できる。
【発明を実施するための最良の形態】
【００２２】
本発明の請求項１記載のレンジフード用消音装置は、油煙を含む空気を換気するレンジフードの通風路に、複数の孔を有する２枚の不燃性パネルと多孔質吸音材とを、それぞれの間に空気層を形成して並設し、前記２枚の不燃性パネルのそれぞれの孔は、前記レンジフードの正面視方向に重ならない位置に形成されたものであり、多孔質吸音材はほとんど汚れることがなくなり、消音装置の騒音低減効果が長期間維持されることとなる。
【００２３】
また、請求項２記載のレンジフード用消音装置は、不燃性パネルを３枚以上並設し、隣り合う前記不燃性パネルに形成されたそれぞれの孔が、レンジフードの正面視方向に重ならない位置に形成されたものであり、不燃性パネルは３枚以上とすることによって、形成される孔の径を大きくしても、油塵等の通過を阻止できる一方、多孔質吸音材への騒音の伝播量を増すことができることとなる。
【００２４】
また、請求項３記載のレンジフード用消音装置は、不燃性パネルと多孔質吸音材とを空気層を介して一体に構成してユニット化したものであり、消音装置の着脱が簡単となって
、メンテナンス等が容易となる。
【００２５】
また、請求項４記載のレンジフード用消音装置は、複数の不燃性パネルが重なり合うように移動自在としたものであり、不燃性パネルを掃除する際、不燃性パネルを重ね合うように移動させるだけで、奥側の不燃性パネルの汚れる箇所を容易に掃除できることとなる
。
【００２６】
また、請求項５記載のレンジフード用消音装置は、請求項４記載のレンジフード用消音装置において、複数の不燃性パネル間に空気層が形成される方向に付勢したばねを前記不燃性パネル間に設けたものであり、不燃性パネルを重ね合わせて掃除したあと、ばねの張力によって、不燃性パネル間に空気層を形成した通常の状態に簡単に復帰することとなる
。
【００２７】
また、請求項６記載のレンジフード用消音装置は、不燃性パネルの表面に撥油処理を施したものであり、撥油性によって油塵等の汚れが付着しにくくなって、孔の開口面積が保持され、消音装置の騒音低減効果を維持することができる。
【００２８】
また、請求項７記載のレンジフード用消音装置は、不燃性パネルの表面に親水性処理を施したものであり、親水性によって油塵等の汚れを容易に拭き取ることができる。
【００２９】
また、請求項８記載のレンジフード用消音装置は、請求項４記載のレンジフード用消音装置において、複数の不燃性パネル間に空気層が形成される方向に付勢したばねを前記不燃性パネル間に設け、前記不燃性パネルの表面に親水性処理を施したものであり、複数の不燃性パネルを重ね合わせて掃除し、そのあと、ばねによって通常の状態に簡単に復帰させることによって、掃除をいっそう容易に行うことができる。
【００３０】
また、請求項９記載のレンジフード用消音装置は、不燃性パネルに超音波振動子を設けたものであり、不燃性パネルに油塵等の汚れが付着しにくくなって、孔の開口面積が保持され、消音装置の騒音低減効果を維持することができる。
【００３１】
以下、本発明の実施の形態について図１〜図４を参照しながら説明する。
【００３２】
（実施の形態１）
図１および図２に示すように、レンジフード１の内部に設けられた送風機２のファン２ａの軸心に直交する方向に、消音装置３が配設されている。消音装置３は、レンジフード１の下面の吸込口１ａからファン２ａの吸気口を結ぶ通風路４に沿うように位置している。また、消音装置３は、送風機２側から、図２に示す複数の孔５ａを配列させた不燃性パネル５、空気層６、複数の孔７ａを配列させた不燃性パネル７、空気層６、多孔質吸音材８の順に並べて、一体に構成してユニット化されている。そして、不燃性パネル５と不燃性パネル７の孔５ａおよび７ａは、レンジフード１の方向に正面視したとき、重ならない位置に形成されている。
【００３３】
上記構成において、レンジフード１を運転すると、下面の吸込口１ａから吸い込まれ通風路４を通る油塵等を含んだ汚れた空気は、不燃性パネル５に接しながら送風機２のファン２ａに吸い込まれていく。このとき、汚れた空気は不燃性パネル５の孔５ａを通過していくものもあるが、進行方向にある不燃性パネル７の孔７ａは孔５ａとは、空気の直進方向には存在しないので、不燃性パネル７で流れが阻止されて、多孔質吸音材８には届きにくくなり、油塵等の汚れの付着はほとんどなくなる。そして、空気が通風路４を通るときの騒音や送風機２で発生した騒音は、不燃性パネル５の孔５ａと不燃性パネル７の孔７ａを反射を繰り返しながら通って、多孔質吸音材８に伝播していき吸音される。
【００３４】
このように本発明の実施の形態１のレンジフード用消音装置によれば、多孔質吸音材８をほとんど汚すことなくして、レンジフード１の消音装置３として長期間、騒音低減効果を維持することができることとなる。
【００３５】
また、消音装置３はユニット化されているため、着脱が簡単となってメンテナンス等が容易となる。
【００３６】
また、不燃性パネルは２枚としたが、３枚以上として、それぞれに形成する孔の径を大きくしてもよく、このようにすれば、多孔質吸音材への音の伝播量を増すことができ、消音効果をさらに向上させることができる。
【００３７】
（実施の形態２）
本実施の形態２を示す図３において、実施の形態１と異なるところは、ユニット化した消音装置３Ａの表面側となる不燃性パネル５Ａを前後方向に移動させることができる可動構造とした点と、不燃性パネル５Ａと不燃性パネル７Ａをばね９で連結し、ばね９を不燃性パネル５Ａと７Ａとの間に空気層６が形成される方向に付勢した点である。
【００３８】
上記構成において、通風路４内が油塵等で汚れてきて掃除をする際、不燃性パネル５Ａをばね９の張力に抗して押し、不燃性パネル７Ａに重なる位置まで移動させると、不燃性パネル７Ａは、不燃性パネル５Ａの孔（図示せず）から空気の直進する方向がもっとも汚れるが、この箇所は不燃性パネル５Ａの孔と重なるので、不燃性パネル５Ａを取り外さなくても、容易に汚れを拭き取ることができ、掃除性が大幅に向上して、多孔質吸音材８への汚れの進入を未然に防止することができる。
【００３９】
（実施の形態３）
本実施の形態３は、実施の形態１における不燃性パネル５および７の表面に撥油処理をほどこしている。
【００４０】
これにより、撥油性によって油塵等の汚れが付着しにくくなって、不燃性パネル５および７の汚れの付着を防止し、油塵等で孔５ａおよび７ａの開口面積を小さくしたり、塞いでしまうことがなくなり、消音装置３の騒音低減効果を長期間維持することができる。
【００４１】
（実施の形態４）
本実施の形態４は、実施の形態１における不燃性パネル５および７の表面に親水性処理を施している。
【００４２】
これにより、親水性によって油塵等の汚れを水拭きで容易に拭き取ることができ、掃除性が向上して、多孔質吸音材８への汚れの進入を未然に防止することができる。
【００４３】
また、実施の形態２における不燃性パネル５Ａおよび７Ａの表面に親水性処理を施せば
、掃除性がさらに向上することとなる。
【００４４】
（実施の形態５）
本実施の形態５を示す図５において、実施の形態１と異なるところは、不燃性パネル５Ｂおよび不燃性パネル７Ｂに超音波振動子１０を設けた点である。
【００４５】
これにより、不燃性パネル５Ｂおよび７Ｂは超音波振動子１０によって振動させられ、油塵等の汚れが付着しにくくなり、それらに形成した孔（図示せず）の開口面積を小さくしたり、塞いでしまうことがなくなり、消音装置３の騒音低減効果を長期間維持することができる。
【産業上の利用可能性】
【００４６】
本発明にかかるレンジフード用消音装置は、多孔質吸音材の性能を低下させることなく、長期間安定して、かつ安全に使用できることから、油煙を含む換気装置用の消音装置として有用である。
【図面の簡単な説明】
【００４７】
【図１】本発明の実施の形態１の消音装置を組み込んだレンジフードを示す構成図
【図２】同消音装置の分解斜視図
【図３】本発明の実施の形態２の消音装置を示す側面図
【図４】本発明の実施の形態５の消音装置を示す側面図
【図５】従来の消音装置を組み込んだレンジフードの構成図
【符号の説明】
【００４８】
１    レンジフード
３    消音装置
３Ａ  消音装置
３Ｂ  消音装置
４    通風路
５    不燃性パネル
５ａ  孔
５Ａ  不燃性パネル
５Ｂ  不燃性パネル
６    空気層
７    不燃性パネル
７ａ  孔
７Ａ  不燃性パネル
７Ｂ  不燃性パネル
８    多孔質吸音材
９    ばね
１０  超音波振動子
【図１】
2007017118.tif 000003
【図２】
2007017118.tif 000004
【図３】
2007017118.tif 000005
【図４】
2007017118.tif 000006
【図５】
2007017118.tif 000007